(57)【特許請求の範囲】
【請求項１】
情報が表示される画面を備え、前記画面上のタッチ操作を受け付ける表示操作部と、
所定の機能を実行する制御部と、
前記機能の設定内容となり得る複数の選択肢と対応する複数の選択肢画像を一組として、前記画面上において予め定められた第一方向に沿うように前記一組にされた複数の選択肢画像を並べて前記画面に表示させる選択肢画像表示部と、
前記複数の選択肢画像のうちの何れかを選択する選択操作を受け付ける選択操作受付部と、
前記選択操作によって選択された選択肢画像を、前記一組の選択肢画像の表示位置から、前記画面上において前記第一方向とは異なる方向である第二方向に離間して設けられた確定領域まで、移動させる確定操作を受け付ける確定操作受付部と、
前記確定操作受付部によって前記確定操作が受け付けられた場合に、前記確定操作によって前記確定領域まで移動された選択肢画像に対応する選択肢を、前記機能の設定内容として確定する確定処理を行う機能設定確定部と、
を備え、
前記制御部は、前記機能を複数実行可能であり、
前記選択肢画像表示部は、前記複数の機能のうち、予め定められた機能数の機能にそれぞれ対応する複数組の選択肢画像を、前記第二方向に沿うように並べて前記画面に表示させ、
前記選択肢画像表示部は、前記確定処理が行われた場合には、前記確定処理によって設定内容が確定された機能に対応する前記一組の選択肢画像を非表示にして、前記複数の機能のうち、前記設定内容が確定された機能を除く残余の機能にそれぞれ対応する前記組毎の選択肢画像を、前記第二方向に沿うように並べて前記画面に表示させる確定後処理を行う電子機器。
【請求項２】
アンドゥ操作を受け付けるアンドゥ操作受付部と、
リドゥ操作を受け付けるリドゥ操作受付部と、
前記アンドゥ操作受付部によって前記アンドゥ操作が受け付けられた場合に、当該受け付けの直前に行われた前記確定処理の後、前記確定後処理によって表示された一組の選択肢画像を非表示にし、前記確定後処理によって非表示にされた一組の選択肢画像を前記画面に再表示させるアンドゥ処理を行うアンドゥ処理部と、
前記アンドゥ操作受付部によって前記アンドゥ操作が受け付けられた後、前記リドゥ操作受付部によって前記リドゥ操作が受け付けられた場合に、当該リドゥ操作の受け付けの直前の前記アンドゥ処理によって再表示された一組の選択肢画像を非表示にして、前記アンドゥ処理によって非表示にされた一組の選択肢画像を前記画面に再表示させるリドゥ処理部と、
を更に備える請求項１に記載の電子機器。
【請求項３】
前記確定処理によって設定内容が確定された機能と組み合わせて実行することが禁止されている機能に対応する前記一組の選択肢画像を前記画面に表示させることを禁止する全禁則処理部を更に備える請求項１又は２に記載の電子機器。
【請求項４】
前記複数の選択肢画像のうち、前記確定処理によって確定された設定内容と組み合わせて設定することが禁止されている設定内容に対応する選択肢画像を、前記確定処理によって確定された設定内容と組み合わせて設定することが禁止されていない設定内容に対応する選択肢画像と区別可能な表示形態で前記画面に表示させる部分禁則処理部を更に備える請求項１から３の何れか一項に記載の電子機器。
【請求項５】
前記選択操作受付部によって前記選択操作が受け付けられる度に、異なる選択肢が選択されたことを示す所定の音声を出力する選択報知部を更に備える請求項１から４の何れか一項に記載の電子機器。
【請求項６】
前記確定処理が行われる度に、機能の設定内容が確定されたことを示す所定の音声を出力する確定報知部を更に備える請求項１から５の何れか一項に記載の電子機器。
【請求項７】
前記選択操作は、選択する対象の選択肢画像をタッチ操作したまま、前記画面上において前記第二方向に延びるように設けられた選択領域まで移動させるスワイプ操作である請求項１から６の何れか一項に記載の電子機器。
【請求項８】
前記選択肢画像表示部は、前記一組の選択肢画像のうち、予め定められた数の選択肢画像を前記第一方向に沿うように並べて前記画面に表示する請求項１から７の何れか一項に記載の電子機器。
【請求項９】
前記第一方向は、前記画面の垂直方向及び水平方向のうちの何れか一方向であり、
前記第二方向は、前記画面の垂直方向及び水平方向のうちの前記第一方向とは異なる方向である請求項１から８の何れか一項に記載の電子機器。
【請求項１０】
請求項１から請求項９の何れか一項に記載の電子機器と、
画像を用紙に形成する画像形成部と、
を備え、
前記機能には、前記画像形成部によって画像を用紙に形成させる機能が含まれる画像形成装置。
【発明の詳細な説明】
【技術分野】
【０００１】
本発明は電子機器及び画像形成装置に関し、特に、機能の設定内容を選択操作する技術に関する。
【背景技術】
【０００２】
電子機器に備えられた多種の機能を実行するために、ユーザーはこれら機能の設定内容を入力操作する必要がある。この入力操作に関して、例えば下記特許文献１等に記載のように、機能の設定内容の入力操作を行うための操作画面を機能の階層に合わせて複数回切り替えて画面に表示させ、ユーザーによって各機能の設定内容を順序立てて入力操作させる技術が知られている。
【先行技術文献】
【特許文献】
【０００３】
【特許文献１】特開２００３−８４９６５号公報
【発明の概要】
【発明が解決しようとする課題】
【０００４】
しかしながら、機能毎に必要な設定内容は異なるため、各機能の設定内容をそれぞれ入力操作するための操作画面間で、設定内容となり得る複数の選択肢の何れかを選択するチェックボックス等の画面部品の数や配置が異なり、また、切り替えて表示させる操作画面の数が異なる。このため、例えば、高齢者、視覚障害者、及び電子機器の利用頻度が少ないユーザー等の入力操作に不慣れなユーザーは、所望の機能とは異なる機能の設定内容を入力するときの入力操作を誤って行ったり、また、操作画面の中から所望の設定内容を入力するための画面部品を探し出すのに時間を要する等して、機能の設定内容の入力操作に煩わしさを感じる虞があった。
【０００５】
本発明は、このような事情に鑑みてなされたものであり、機能の設定内容を入力操作するときの手間を軽減することができる電子機器及び画像形成装置を提供することを目的とする。
【課題を解決するための手段】
【０００６】
本発明に係る電子機器は、情報が表示される画面を備え、前記画面上のタッチ操作を受け付ける表示操作部と、所定の機能を実行する制御部と、前記機能の設定内容となり得る複数の選択肢と対応する複数の選択肢画像を一組として、前記画面上において予め定められた第一方向に沿うように前記一組にされた複数の選択肢画像を並べて前記画面に表示させる選択肢画像表示部と、前記複数の選択肢画像のうちの何れかを選択する選択操作を受け付ける選択操作受付部と、前記選択操作によって選択された選択肢画像を、前記一組の選択肢画像の表示位置から、前記画面上において前記第一方向とは異なる方向である第二方向に離間して設けられた確定領域まで、移動させる確定操作を受け付ける確定操作受付部と、前記確定操作受付部によって前記確定操作が受け付けられた場合に、前記確定操作によって前記確定領域まで移動された選択肢画像に対応する選択肢を、前記機能の設定内容として確定する確定処理を行う機能設定確定部と、を備え、前記制御部は、前記機能を複数実行可能であり、前記選択肢画像表示部は、前記複数の機能のうち、予め定められた機能数の機能にそれぞれ対応する複数組の選択肢画像を、前記第二方向に沿うように並べて前記画面に表示させ、前記選択肢画像表示部は、前記確定処理が行われた場合には、前記確定処理によって設定内容が確定された機能に対応する前記一組の選択肢画像を非表示にして、前記複数の機能のうち、前記設定内容が確定された機能を除く残余の機能にそれぞれ対応する前記組毎の選択肢画像を、前記第二方向に沿うように並べて前記画面に表示させる確定後処理を行う。
【０００７】
この構成によれば、確定操作受付部によって確定操作が受け付けられた場合に、確定操作によって確定領域まで移動された選択肢画像に対応する選択肢を、機能の設定内容として確定する確定処理が行われ、機能の設定内容が確定される。このため、ユーザーは、第一方向に並ぶ複数の選択肢画像の中から所望の設定内容に対応する選択肢画像を選択する選択操作を行い、選択した選択肢画像を確定領域まで移動させる確定操作を行うことによって、機能の設定内容を所望のものに確定することができる。
【０００８】
また、操作方向が第一方向及び第二方向の２方向に限られているので、例えば、高齢者、視覚障害者、及び画像形成装置の利用頻度が少ないユーザー等の入力操作に不慣れなユーザーであっても、画面の多方向に手を動かす煩雑な操作を行う必要がなく、操作が容易であり、且つ、覚え易くなり、入力操作の手間が軽減される。
【００１０】
この構成によれば、ユーザーは、第一方向に並ぶ複数の選択肢画像の中から所望の設定内容に対応する選択肢画像を選択する選択操作を行い、選択した選択肢画像を第二方向に移動させる確定操作を行うことを繰り返すことによって、画面に対応する一組の選択肢画像が表示された予め定められた機能数の機能の設定内容をそれぞれ確定させることができる。
【００１１】
つまり、ユーザーにとっては、一定方向に手を動かして行う２つの統一された操作感の操作を繰り返して行うことによって、予め定められた機能数の機能の設定内容を確定することができるので、機能毎に設定内容の入力操作方法が異なる場合に比して、機能の設定内容を入力操作するときの煩わしさが軽減されて好適である。
【００１３】
この構成によれば、確定後処理によって、設定内容が確定された機能に対応する一組の選択肢画像が非表示にされ、設定内容が確定された機能を除く残余の機能にそれぞれ対応する組毎の選択肢画像が表示される。したがって、ユーザーは、同じ一つの画面において、第一方向に並ぶ複数の選択肢画像の中から所望の設定内容に対応する選択肢画像を選択する選択操作を行い、選択した選択肢画像を第二方向に移動させる確定操作を繰り返し行うだけで、複数の機能の設定内容をそれぞれ確定することができる。
【００１４】
つまり、ユーザーにとっては、機能毎に異なる複数の画面を用いて複数の機能の設定内容を入力操作する場合に比して、複数の機能の設定内容を入力操作するときの煩わしさが軽減されて好適である。
【００１５】
また、アンドゥ操作を受け付けるアンドゥ操作受付部と、リドゥ操作を受け付けるリドゥ操作受付部と、前記アンドゥ操作受付部によって前記アンドゥ操作が受け付けられた場合に、当該受け付けの直前に行われた前記確定処理の後、前記確定後処理によって表示された一組の選択肢画像を非表示にし、前記確定後処理によって非表示にされた一組の選択肢画像を前記画面に再表示させるアンドゥ処理を行うアンドゥ処理部と、前記アンドゥ操作受付部によって前記アンドゥ操作が受け付けられた後、前記リドゥ操作受付部によって前記リドゥ操作が受け付けられた場合に、当該リドゥ操作の受け付けの直前の前記アンドゥ処理によって再表示された一組の選択肢画像を非表示にして、前記アンドゥ処理によって非表示にされた一組の選択肢画像を前記画面に再表示させるリドゥ処理部と、を更に備えることが好ましい。
【００１６】
この構成によれば、ユーザーは、誤って確定操作を行った場合であっても、アンドゥ操作を行うことによって、直前に行われた確定操作が行われる前の状態に戻すことができる。また、ユーザーは、誤ってアンドゥ操作を行った場合であっても、リドゥ操作を行うことによって、その誤って行ったアンドゥ操作によって戻された確定操作を実行した状態に戻すことができる。
【００１７】
このため、例えば、画面に表示されたソフトキーの押下操作等のユーザーにとって簡単な操作によって、アンドゥ操作及びリドゥ操作が受け付けられるように、アンドゥ操作受付部及びリドゥ操作受付部を構成することによって、煩わしい操作を行うことなく、誤った確定操作又はアンドゥ操作が行われる前の状態に簡単に戻すことができる。
【００１８】
また、前記確定処理によって設定内容が確定された機能と組み合わせて実行することが禁止されている機能に対応する前記一組の選択肢画像を前記画面に表示させることを禁止する全禁則処理部を更に備えることが好ましい。
【００１９】
この構成によれば、既に確定された機能と組み合わせて実行することが禁止されている機能に対する設定内容の入力操作が行われることを防止することができる。
【００２０】
また、前記複数の選択肢画像のうち、前記確定処理によって確定された設定内容と組み合わせて設定することが禁止されている設定内容に対応する選択肢画像を、前記確定処理によって確定された設定内容と組み合わせて設定することが禁止されていない設定内容に対応する選択肢画像と区別可能な表示形態で前記画面に表示させる部分禁則処理部を更に備えることが好ましい。
【００２１】
この構成によれば、ユーザーが既に確定された設定内容と組み合わせて設定することが禁止されている設定内容を入力しようとした場合であっても、そのことに気づきやすくなる。これによって、既に確定された設定内容と組み合わせて設定することが禁止されている設定内容の入力操作が行われる虞を軽減することができる。
【００２２】
また、前記選択操作受付部によって前記選択操作が受け付けられる度に、異なる選択肢が選択されたことを示す所定の音声を出力する選択報知部を更に備えることが好ましい。
【００２３】
この構成によれば、ユーザーは、異なる選択肢を選択したことを音声によって認識することができるので、不用意に選択操作を行った場合であっても、そのことに気づきやすくなる。
【００２４】
また、前記確定処理が行われる度に、機能の設定内容が確定されたことを示す所定の音声を出力する確定報知部を更に備えることが好ましい。
【００２５】
この構成によれば、ユーザーは、確定処理が行われたことを音声によって認識することができるので、不用意に確定操作を行って確定処理が行われた場合であっても、そのことに気づきやすくなる。
【００２６】
また、前記選択操作は、選択する対象の選択肢画像をタッチ操作したまま、前記画面上において前記第二方向に延びるように設けられた選択領域まで移動させるスワイプ操作であることが好ましい。
【００２７】
この構成によれば、ユーザーは、選択する対象の選択肢画像をタッチ操作したまま、選択領域まで、第一方向に移動させるスワイプ操作を行うことによって選択操作を行うことができる。このため、ユーザーにとっては、一定方向に選択物を移動させるという、確定操作と同じ統一された操作感で選択操作を行うことができるので、機能毎に設定内容の入力操作方法が異なる場合に比して、入力操作方法を覚える手間が軽減されて好適である。
【００２８】
また、前記選択肢画像表示部は、前記一組の選択肢画像のうち、予め定められた数の選択肢画像を前記第一方向に沿うように並べて前記画面に表示することが好ましい。
【００２９】
この構成によれば、一組の選択肢画像のうち、予め定められた数の選択肢画像が第一方向に沿うように並べて表示されるので、画面の第一方向において予め定められた数の選択肢画像がそれぞれ表示される位置が略一定になる。つまり、ユーザーにとっては、選択肢画像が表示される位置が略一定のため、所望の選択対象の選択肢画像を探す手間が軽減されて好適である。
【００３０】
また、前記第一方向は、前記画面の垂直方向及び水平方向のうちの何れか一方向であり、前記第二方向は、前記画面の垂直方向及び水平方向のうちの前記第一方向とは異なる方向であることが好ましい。
【００３１】
この構成によれば、操作方向が画面の垂直方向及び水平方向の２方向に限られているので、入力操作に不慣れなユーザーであっても、画面の多方向に手を動かす煩雑な操作を行う必要がなく、操作が容易であり、且つ、覚え易くなり、入力操作の手間が軽減される。
【００３２】
また、本発明に係る画像形成装置は、上述の電子機器と、画像を用紙に形成する画像形成部と、を備え、前記機能には、前記画像形成部によって画像を用紙に形成させる機能が含まれる。
【００３３】
この構成によれば、上述の電子機器を備えているため、画像形成部によって画像を用紙に形成させる機能の設定内容を入力操作するときの手間を軽減することができる。
【発明の効果】
【００３４】
本発明によれば、機能の設定内容を入力操作するときの手間を軽減することができる電子機器及び画像形成装置を提供することが可能になる。
【図面の簡単な説明】
【００３５】
【図１】本発明に係る画像形成装置の一例である複合機の概略構造図。
【図２】操作部の一例を示す説明図。
【図３】複合機の電気的構成の一例を示すブロック図。
【図４】機能の設定内容を入力操作させるための操作画面の一例を示す説明図。
【図５】機能の設定内容をユーザーに入力操作させるための動作の一例を示すフローチャート。
【図６】選択操作の一例を示す説明図。
【図７】確定操作の一例を示す説明図。
【図８】確定後処理が行われた後の操作画面の一例を示す説明図。
【図９】全禁則処理が行われる前の確定操作の一例を示す説明図である。
【図１０】全禁則処理が行われる前後の操作画面の一例を示す説明図である。
【図１１】部分禁則処理部によって部分禁則処理が行われる前の確定操作の一例を示す説明図である。
【図１２】部分禁則処理が行われる前後の操作画面の一例を示す説明図である。
【図１３】（ａ）は、機能の設定内容を入力操作させるための操作画面の図４とは別の一例を示す説明図であり、（ｂ）は、機能の設定内容を入力操作させるための操作画面の図４及び図１３（ａ）とは別の一例を示す説明図である。
【発明を実施するための形態】
【００３６】
以下、本発明に係る実施形態を図面に基づいて説明する。図１は、本発明に係る画像形成装置の一例である複合機１の概略構造図である。
【００３７】
図１に示すように、複合機１は、原稿読取部５と、原稿給送部６と、本体部８と、操作部７と、を備えている。
【００３８】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００３９】
スキャナー部５１は、図略の駆動部によって移動可能に構成され、原稿台５２に載置された原稿を読み取るときは、原稿台５２に対向する位置で原稿面に沿って移動され、原稿の画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００４０】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００４１】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。
【００４２】
画像形成部４は、用紙搬送部４１と、光走査装置４２と、感光体ドラム４３と、現像部４４と、転写部４５と、定着部４６と、を備えている。
【００４３】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００４４】
光走査装置４２は、制御部１０に入力された画像データに基づいてレーザー光を出力し、このレーザー光によって感光体ドラム４３を走査することで、感光体ドラム４３上に静電潜像を形成する。
【００４５】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４６】
操作部７は、複合機１の正面部に設けられ、ユーザーによる種々の操作指示を入力可能に構成されている。図２は、操作部７の一例を示す説明図である。図２に示すように、操作部７には、タッチパネル装置７１、インジケーター７２ａ〜７２ｆ、入力キー７３ａ〜７３ｄ、スイッチ７４ａ〜７４ｍ、スタートキー７５、ストップキー７６、及びリセットキー７７が設けられている。
【００４７】
タッチパネル装置（表示操作部）７１は、タッチパネル機能を有する液晶ディスプレイ（画面）Ｐを備えている。タッチパネル装置７１は、このタッチパネル機能によって、液晶ディスプレイＰに表示されたソフトキーがユーザーによって触れられたときには、そのソフトキーの押下操作の指示を受け付ける。また、タッチパネル装置７１は、このタッチパネル機能によって、ジェスチャー操作の指示として、液晶ディスプレイＰ上でユーザーによって触れられている位置の軌跡を受け付ける。タッチパネル装置７１によって受け付けられた軌跡情報に基づいて、後述する制御部１０によって、ジェスチャー操作の指示が受け付けられる。
【００４８】
例えば、タッチパネル装置７１には、液晶ディスプレイＰを軽く叩くタップ操作、予め定められた受付時間内に２度タップ操作するダブルタップ操作、液晶ディスプレイＰを２本の指で摘むように操作し、又は、摘んだ状態から２本の指を広げるように操作するピンチ操作、液晶ディスプレイＰに指を触れた状態でそのまま指を滑らせるスワイプ操作、液晶ディスプレイＰを軽く払うように指を動かすフリック操作、等のジェスチャー操作の指示が入力される。
【００４９】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯または点滅する。インジケーター７２ｆは複合機１に電源が投入されているときに点灯する。
【００５０】
入力キー７３ａ〜７３ｄは、数字や記号を入力したり、入力済みの文字列を消去または確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００５１】
スイッチ７４ａ〜７４ｍは、複合機１に備えられた各機能を切り替えるスイッチである。例えば、代表的なものとして、スイッチ７４ｊは、スキャナー部５１で読み取られた画像データを用いて印刷するコピー機能に切り替えて、コピー機能に関わる複数の詳細な機能の設定内容をユーザーに入力操作させるための操作画面を、液晶ディスプレイＰに表示するスイッチである。スイッチ７４ｋは、スキャナー部５１で読み取られた画像データを後述の通信部９を介して外部に送信する送信機能に切り替え、送信機能に関わる複数の詳細な機能の設定内容をユーザーに入力操作させるための操作画面を、液晶ディスプレイＰに表示するスイッチである。
【００５２】
スタートキー７５は、各種機能の動作を開始するために設けられている。ストップキー７６は、各種機能の動作を停止するために設けられている。リセットキー７７は、各種機能の設定内容を初期状態に戻すために設けられている。
【００５３】
図３は、複合機１の電気的構成の一例を示すブロック図である。複合機１は、上記原稿読取部５、上記原稿給送部６、上記画像形成部４、上記操作部７、通信部９、及び制御部１０等の各部が相互に通信可能なように接続されている。操作部７は、上記図２に示した構成に加えて、スピーカー７８を備えている。以下、図１及び図２と同じ符号を付した部分については、特筆しない限り、説明を省略する。
【００５４】
スピーカー７８は、後述の制御部１０から入力された指示に従って所定の音声信号を出力する装置である。
【００５５】
通信部９は、ファクシミリ通信部９１及びネットワークＩ／Ｆ部９３を備えている。ファクシミリ通信部９１は、電話回線９５に接続されている。ファクシミリ通信部９１は、相手先ファクシミリとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを電話回線９５を介して他のファクシミリ装置へ送信したり、他のファクシミリ装置から送信されてきた画像データを受信して制御部１０へ出力する。
【００５６】
ネットワークＩ／Ｆ部９３は、ＬＡＮ（Local Area Network）９７に接続されている。ネットワークＩ／Ｆ部９３はＬＡＮ９７に接続されたパソコン等の端末装置との間で通信を実行するための通信インターフェイス回路である。ネットワークＩ／Ｆ部９３は、原稿読取部５によって読み取られた画像データを、ＬＡＮ９７を介してパーソナルコンピュータ等の外部のコンピューターへ送信したり、外部のコンピューターから送信されてきた画像データを受信して制御部１０へ出力する。
【００５７】
制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像データ等の各種データを記憶するＨＤＤ（Hard Disk Drive）等の記憶媒体、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって、複合機１内の各部の動作を制御し、複合機１において実行可能な各種機能を実行する。例えば、制御部１０は、スキャナー部５１及び画像形成部４の動作を制御して、スキャナー部５１によって読み取らせた画像データによって表される画像を画像形成部４によって用紙に形成させるコピー機能を実行する。
【００５８】
制御部１０は、複合機１において実行可能な各種機能の設定内容をユーザーに入力操作させるための制御に関して、特に、選択肢画像表示部１１、選択操作受付部１２、選択報知部１３、確定操作受付部１４、機能設定確定部１５、確定報知部１６、全禁則処理部１７、部分禁則処理部１８、アンドゥ操作受付部１９、アンドゥ処理部２０、リドゥ操作受付部２１、及びリドゥ処理部２２として機能する。
【００５９】
以下、図４を用いて、各部１１〜２２の概要を説明する。図４は、機能の設定内容を入力操作させるための操作画面の一例を示す説明図である。
【００６０】
選択肢画像表示部１１は、例えば図４に示すように、制御部１０によって実行可能なコピー機能に関わる複数の詳細な機能のうち、予め定められた機能数としての３つの機能（ページ集約機能、画面／分割機能、縮小／拡大機能）の設定内容を入力操作させるための操作画面を液晶ディスプレイＰに表示させる。
【００６１】
このとき、選択肢画像表示部１１は、機能毎に、機能の設定内容となり得る複数の選択肢のそれぞれに対応する複数の選択肢画像を一組として扱う。そして、選択肢画像表示部１１は、当該一組の選択肢画像のうち、予め定められた画像数の選択肢画像を１つのグループとして、液晶ディスプレイＰの垂直方向（第一方向）Ｄ１に沿うように並べて表示させる。
【００６２】
例えば、図４に示すように、選択肢画像表示部１１は、両面／分割機能の設定内容となり得る複数の選択肢（「片面＞＞両面」、「片面＞＞片面」、「両面＞＞両面」、「両面＞＞片面」等）のそれぞれに対応する複数の選択肢画像を一組として扱う。そして、選択肢画像表示部１１は、両面／分割機能を示す機能画像Ｆ２を表示させるとともに、例えばその下方に、当該一組の選択肢画像のうち、予め定められた画像数としての３つの選択肢画像Ｇ２１〜Ｇ２３を１つのグループＧ２として、垂直方向Ｄ１に沿うように並べて表示させる。
【００６３】
また、選択肢画像表示部１１は、予め定められた機能数（図４においては、３つ）の機能にそれぞれ対応する複数のグループ（複数組の選択肢画像、図４においては、３つのグループＧ１〜Ｇ３）を液晶ディスプレイＰの水平方向（第二方向）Ｄ２に沿うように並べて表示させる。
【００６４】
選択操作受付部１２は、複数の選択肢画像Ｇ１１〜Ｇ１３，Ｇ２１〜Ｇ２３，Ｇ３１〜Ｇ３３のうちの何れかを選択する選択操作を受け付ける。選択報知部１３は、選択操作受付部１２によって選択操作が受け付けられる度に、異なる選択肢が選択されたことを示す所定の音声をスピーカー７８に出力させる。
【００６５】
確定操作受付部１４は、選択操作によって選択された選択肢画像を、その選択肢画像を含むグループＧ１〜Ｇ３の位置から、液晶ディスプレイＰ上において水平方向Ｄ２に離間して設けられた確定領域ＣＡまで、移動させる確定操作を受け付ける。
【００６６】
機能設定確定部１５は、確定操作受付部１４によって確定操作が受け付けられた場合に、確定操作によって確定領域ＣＡまで移動された選択肢画像に対応する選択肢を、機能の設定内容として確定する確定処理を行う。確定報知部１６は、確定処理が行われる度に、機能の設定内容が確定されたことを示す所定の音声を出力する。
【００６７】
全禁則処理部１７は、確定処理によって設定内容が確定された機能と組み合わせて実行することが禁止されている機能に対応する一組の選択肢画像を液晶ディスプレイＰに表示させることを禁止する。
【００６８】
部分禁則処理部１８は、複数の選択肢画像Ｇ１１〜Ｇ１３，Ｇ２１〜Ｇ２３，Ｇ３１〜Ｇ３３のうち、確定処理によって確定された設定内容と組み合わせて設定することが禁止されている設定内容に対応する選択肢画像を、確定処理によって確定された設定内容と組み合わせて設定することが禁止されていない設定内容に対応する選択肢画像と区別可能な表示形態で液晶ディスプレイＰに表示させる。
【００６９】
アンドゥ操作受付部１９は、例えば、アンドゥキーＳＫ２が押下されることによって、アンドゥ操作を受け付ける。アンドゥ処理部２０は、アンドゥ操作受付部１９によってアンドゥ操作が受け付けられた場合に、当該受け付けの直前に行われた確定処理時に、確定後処理によって表示された一組の選択肢画像を非表示にし、確定後処理によって非表示にされた一組の選択肢画像を画面に再表示させるアンドゥ処理を行う。
【００７０】
リドゥ操作受付部２１は、例えば、リドゥキーＳＫ１が押下されることによって、リドゥ操作を受け付ける。リドゥ処理部２２は、アンドゥ操作受付部１９によってアンドゥ操作が受け付けられた後、リドゥ操作受付部２１によってリドゥ操作が受け付けられた場合に、当該リドゥ操作の受け付けの直前のアンドゥ処理によって再表示された一組の選択肢画像を非表示にして、アンドゥ処理によって非表示にされた一組の選択肢画像を液晶ディスプレイＰに再表示させる。
【００７１】
以下、図４乃至図１０を用いて、上記各部１１〜２２による、複合機１に備えられた各種機能の設定内容をユーザーに入力操作させるための動作について詳述する。図５は、各種機能の設定内容をユーザーに入力操作させるための動作の一例を示すフローチャートである。
【００７２】
例えば、操作部７に備えられたスイッチ７４ｊ（図２）が押下操作されると、選択肢画像表示部１１は、例えば図４に示すような、コピー機能に関わる予め定められた機能数としての３つの機能の設定内容をユーザーに入力操作させるための操作画面を、制御部１０によって、液晶ディスプレイＰに表示させる（Ｓ１）。
【００７３】
選択肢画像表示部１１は、機能毎に、機能の設定内容となり得る複数の選択肢のそれぞれに対応する複数の選択肢画像を一組とし、当該一組の選択肢画像のうち、予め定められた画像数の選択肢画像を１つのグループとして、垂直方向Ｄ１に沿うように並べて表示させる（Ｓ２）。
【００７４】
具体的には、選択肢画像表示部１１は、図４に示すように、ページ集約機能の設定内容となり得る複数の選択肢（「２ｉｎ１」、「ＯＦＦ」、「４ｉｎ１」）のそれぞれに対応する複数の選択肢画像を一組として扱う。そして、選択肢画像表示部１１は、ページ集約機能を示す機能画像Ｆ１を表示させるとともに、例えばその下方に、当該一組の選択肢画像のうち、予め定められた画像数としての３つの選択肢画像Ｇ１１〜Ｇ１３を１つのグループＧ１として、垂直方向Ｄ１に沿うように並べて表示させる。
【００７５】
同様に、選択肢画像表示部１１は、画面／分割機能の設定内容となり得る複数の選択肢（「片面＞＞両面」、「片面＞＞片面」、「両面＞＞両面」、「両面＞＞片面」等）のそれぞれに対応する複数の選択肢画像を一組として扱う。そして、選択肢画像表示部１１は、画面／分割機能を示す機能画像Ｆ２を表示させるとともに、例えばその下方に、当該一組の選択肢画像のうち、３つの選択肢画像Ｇ２１〜Ｇ２３を１つのグループＧ２として、垂直方向Ｄ１に沿うように並べて表示させる。
【００７６】
また、選択肢画像表示部１１は、縮小／拡大機能の設定内容となり得る複数の選択肢（「自動」、「１００％」、「倍率入力」、「Ａ４→Ｂ４」、「Ｂ４→Ａ４」等）のそれぞれに対応する複数の選択肢画像を一組として扱う。そして、選択肢画像表示部１１は、縮小／拡大機能を示す機能画像Ｆ３を表示させるとともに、例えばその下方に、当該一組の選択肢画像のうち、３つの選択肢画像Ｇ３１〜Ｇ３３を１つのグループＧ３として、垂直方向Ｄ１に沿うように並べて表示させる。
【００７７】
また、選択肢画像表示部１１は、予め定められた機能数の機能にそれぞれ対応する複数のグループを液晶ディスプレイＰの水平方向Ｄ２に沿うように並べて表示させる。例えば、図４においては、選択肢画像表示部１１は、ページ集約機能、画面／分割機能、縮小／拡大機能のそれぞれに対応する３つのグループＧ１〜Ｇ３を、水平方向Ｄ２に沿うように並べて液晶ディスプレイＰに表示させる。
【００７８】
尚、上記の予め定められた機能数は、図４に示した３つに限定する趣旨ではなく、例えば１であってもよい。予め定められた機能数は、設計事項として液晶ディスプレイＰの画面サイズに応じて予め定められ、ＲＯＭ等に記憶されている。
【００７９】
例えば、コピー機能を実行させる場合には、ページ集約機能、画面／分割機能、縮小／拡大機能の３つの機能以外にも、濃度機能や用紙サイズ機能等の機能の設定内容を入力することが可能である。このように、設定内容の入力操作を行う対象の機能の数が、上記の予め定められた機能数を超える場合がある。
【００８０】
このような場合、選択肢画像表示部１１は、例えば、液晶ディスプレイＰに表示されている予め定められた機能数の機能画像（図４においては、Ｆ１〜Ｆ３）のうちの何れかがタッチ操作されたまま、液晶ディスプレイＰの外部に放り出すスワイプ操作がされたときに、そのタッチ操作された機能画像に対応する機能に対応する一組の選択肢画像を非表示にさせる。そして、当該機能を除く残余の機能に対応する一組の選択肢画像のうち、予め定められた画像数の選択肢画像を１つのグループとして表示させる。このように、選択肢画像表示部１１は、全ての機能に対応する一組の選択肢画像を表示させることが可能なように構成されている。
【００８１】
同様に、上記の予め定められた画像数は、図４に示した３つに限定する趣旨ではなく、例えば１であってもよく、例えば４以上であってもよい。予め定められた画像数は、設計事項として液晶ディスプレイＰの画面サイズに応じて予め定められ、ＲＯＭ等に記憶されている。
【００８２】
例えば、縮小／拡大機能の設定内容となり得る選択肢には、「自動」、「１００％」、「倍率入力」、「Ａ４→Ｂ４」、「Ｂ４→Ａ４」等があり、機能の設定内容となり得る選択肢の数が、上記の予め定められた画像数を超えるような場合がある。
【００８３】
このような場合、選択肢画像表示部１１は、例えば図４に示すように、グループＧ３の最下部に表示されている選択肢画像Ｇ３３がタッチ操作されたまま、更に垂直方向Ｄ１下方にスワイプ操作されたときに、当該タッチ操作されていない選択肢画像Ｇ３１，Ｇ３２の表示位置をそれぞれ垂直方向Ｄ１下方に一つずらして表示させる。そして、グループＧ３の最上部の選択肢画像の表示位置に、縮小／拡大機能に対応する一組の選択肢画像のうち、表示されていなかった選択肢画像（例えば、選択肢「Ｂ４→Ａ４」に対応する選択肢画像）を表示させる。
【００８４】
これとは反対に、選択肢画像表示部１１は、グループＧ３の最上部に表示されている選択肢画像Ｇ３１がタッチ操作されたまま、更に垂直方向Ｄ１上方にスワイプ操作されたときには、当該タッチ操作されていない選択肢画像Ｇ３２，Ｇ３３の表示位置をそれぞれ垂直方向Ｄ１上方に一つずらして表示させる。そして、グループＧ３の最下部の選択肢画像の表示位置に、縮小／拡大機能に対応する一組の選択肢画像のうち、表示されていなかった選択肢画像（例えば、選択肢「Ａ４→Ｂ４」に対応する選択肢画像）を表示させる。このように、選択肢画像表示部１１は、各機能に対応する一組の選択肢画像の全てを表示させることが可能なように構成されている。
【００８５】
図６は、選択操作の一例を示す説明図である。選択操作受付部１２は、例えば、図６（ａ）に示すように、選択肢「２ｉｎ１」に対応する選択肢画像Ｇ１１をタッチ操作したまま、図６（ｂ）に示すように、水平方向Ｄ２に延びるように設けられた選択領域ＳＡまで移動させるスワイプ操作が行われることによって、選択肢画像Ｇ１１を選択する選択操作を受け付ける（Ｓ３；ＹＥＳ）。
【００８６】
選択報知部１３は、選択操作受付部１２によって選択操作が受け付けられると（Ｓ３；ＹＥＳ）、例えば図６（ｂ）の右上の噴出し部に示すように、当該選択操作によって選択された選択肢画像「２ｉｎ１」に対応する選択肢「２ｉｎ１」と当該選択肢が設定される機能であるページ集約機能とを組み合わせて、ページ集約機能の設定内容が「２ｉｎ１」に設定されたことを示す文章を示す音声を、スピーカー７８に出力させる（Ｓ４）。つまり、選択報知部１３は、機能の設定内容として設定されていた選択肢が変更されたことをユーザーに報知する。尚、スピーカー７８に出力させる文章に対応する音声信号は、予めＲＯＭ等に記憶されている。
【００８７】
図７は、確定操作の一例を示す説明図である。確定操作受付部１４は、図７（ａ）に示すように、選択操作によって選択された選択肢画像Ｇ１１をタッチ操作したまま、図７（ｂ）に示すように、グループＧ１が表示されている位置から、水平方向Ｄ２に離間して設けられた確定領域ＣＡまで移動させるスワイプ操作が行われることによって、当該タッチ操作された選択肢画像Ｇ１１に対応する選択肢「２ｉｎ１」をページ集約機能の設定内容として確定する確定操作を受け付ける（Ｓ５；ＹＥＳ）。
【００８８】
機能設定確定部１５は、確定操作受付部１４によって確定操作が受け付けられると（Ｓ５；ＹＥＳ）、当該確定操作によって確定領域ＣＡまで移動された選択肢画像Ｇ１１に対応する選択肢「２ｉｎ１」を示す情報を、選択肢「２ｉｎ１」に対応するページ集約機能を示す情報に対応付けてＲＡＭ等に記憶することによって、ページ集約機能の設定内容を選択肢「２ｉｎ１」に確定する（Ｓ６、確定処理）。
【００８９】
確定処理（Ｓ６）が行われると、確定報知部１６は、例えば図７（ｂ）の右上の噴出し部に示すように、当該確定処理によって設定内容が確定された機能であるページ集約機能と確定された設定内容に対応する選択肢「２ｉｎ１」とを組み合わせて、ページ集約機能の設定内容が「２ｉｎ１」に確定されたことを示す文章を示す音声を、スピーカー７８に出力させる（Ｓ７）。
【００９０】
また、確定処理（Ｓ６）が行われると、選択肢画像表示部１１は、確定処理によって設定内容が確定された機能に対応する一組の選択肢画像を非表示にして、設定内容が確定された機能を除く残余の機能にそれぞれ対応する組毎の選択肢画像を、水平方向Ｄ２に沿うように並べて液晶ディスプレイＰに表示させる確定後処理を行う（Ｓ８）。
【００９１】
図８は、確定後処理が行われた後の操作画面の一例を示す説明図である。例えば図７に示したように、ページ集約機能の設定内容を選択肢「２ｉｎ１」に確定する確定処理が行われると（Ｓ６）、選択肢画像表示部１１は、確定後処理を開始し、例えば図７（ｂ）に示すように、設定内容が確定されたページ集約機能に対応するグループＧ１及び機能画像Ｆ１を非表示にする。そして、例えば図８に示すように、選択肢画像表示部１１は、画面／分割機能に対応するグループＧ２及び機能画像Ｆ２、並びに、縮小／拡大機能に対応するグループＧ３及び機能画像Ｆ３を水平方向Ｄ２左側に１グループ分ずらして表示させる。
【００９２】
そして、選択肢画像表示部１１は、コピー機能を実行させる場合に設定内容を入力することが可能な複数の機能のうち、ページ集約機能を除く残余の機能として、例えば、濃度機能の設定内容となり得る複数の選択肢のそれぞれに対応する複数の選択肢画像を一組として扱う。そして、選択肢画像表示部１１は、当該一組の選択肢画像のうち、３つの選択肢画像Ｇ４１〜Ｇ４３を１つのグループＧ４とした後、３つのグループＧ２，Ｇ３，Ｇ４を水平方向Ｄ２に沿うように並べて表示させる。
【００９３】
次に、全禁則処理部１７は、確定処理（Ｓ６）によって設定内容が確定された機能と組み合わせて実行することが禁止されている機能に対応する一組の複数の選択肢画像を液晶ディスプレイＰに表示させることを禁止する全禁則処理を行う（Ｓ９、Ｓ１０）。
【００９４】
図９は、全禁則処理部１７によって全禁則処理が行われる前の確定操作の一例を示す説明図である。尚、全禁則処理部１７が全禁則処理を行うに当って、制御部１０によって実行される複数の機能のうち、互いに組み合わせて実行することが禁止されている機能の組み合わせを示す情報がＲＯＭ等に予め記憶されている。
【００９５】
例えば、図９（ａ）は、選択肢画像表示部１１によって、送信機能を実行するに当って、縮小／拡大機能、送信先機能、ＦＡＸ送信解像度機能の３つの機能の設定内容をそれぞれ入力操作するための操作画面を示している。このように、３つの機能のそれぞれに対応する選択肢画像のグループＧ５，Ｇ６，Ｇ７が液晶ディスプレイＰに表示されている場合に（Ｓ２）、図９（ｂ）に示すように、送信先機能に対応する選択肢画像Ｇ６２をタッチ操作したまま、確定領域ＣＡまでスワイプ操作が行われると、確定操作が受け付けられる（Ｓ５；ＹＥＳ）。そして、確定処理が行われ（Ｓ６）、選択肢画像Ｇ６２に対応する選択肢「Ｂ部サーバ」が送信先機能の設定内容として確定される。これによって、選択肢「Ｂ部サーバ」を示す情報が送信先機能を示す情報と対応付けてＲＡＭ等に記憶される。
【００９６】
尚、送信先機能の設定内容が「Ｂ部サーバ」に確定されている場合、制御部１０は、送信機能を実行する際に、ネットワークＩ／Ｆ部９３を介して、「Ｂ部サーバ」にスキャナー部５１で読み取られた画像データを送信するネットワーク送信機能を実行する。また、ネットワーク送信機能と組み合わせてＦＡＸ送信解像度機能を実行することは予め禁止されている。この機能の組み合わせを示す情報は、ＲＯＭ等に予め記憶されている。
【００９７】
図１０は、全禁則処理が行われる前後の操作画面の一例を示す説明図である。図９（ｂ）に示した確定操作が受け付けられることによって確定処理が行われた後、選択肢画像表示部１１は、確定後処理を実行することによって、例えば図１０（ａ）に示すように、送信機能に関する詳細な機能のうち、送信先機能を除く残余の、縮小／拡大機能、ＦＡＸ送信解像度機能、濃度機能の３つの機能のそれぞれに対応する選択肢画像のグループＧ５，Ｇ７，Ｇ８を、水平方向Ｄ２に並べて表示させる。
【００９８】
この場合、全禁則処理部１７は、ＲＯＭ等に予め記憶されている上記の機能の組み合わせを示す情報を用いて、液晶ディスプレイＰに対応する選択肢画像が表示されている３つの機能の中に、送信先機能の設定内容が「Ｂ部サーバ」である場合に実行されるネットワーク送信機能と組み合わせて実行することが禁止されているＦＡＸ送信解像度機能が存在すると判断する（Ｓ９；ＹＥＳ）。
【００９９】
そして、全禁則処理部１７は、例えば、図１０（ｂ）に示すように、選択肢画像表示部１１によって、ＦＡＸ送信解像度機能に対応する一組の選択肢画像を表示させることを禁止させ、濃度機能に対応するグループＧ８及び機能画像Ｆ８を水平方向Ｄ２左側に１グループ分ずらして表示させる。そして、全禁則処理部１７は、選択肢画像表示部１１によって、送信機能に関する詳細な機能のうち、送信先機能及びＦＡＸ送信解像度機能を除く残余の機能として、例えばファイル形式機能に対応する複数の選択肢画像を一組として、当該一組の選択肢画像のうちの、３つの選択肢画像Ｇ９１〜Ｇ９３を１つのグループＧ９として、３つのグループＧ５，Ｇ８，Ｇ９を、水平方向Ｄ２に並べて表示させる（Ｓ１０）。
【０１００】
図５に戻り、部分禁則処理部１８は、複数の選択肢画像のうち、確定処理（Ｓ６）によって確定された設定内容と組み合わせて設定することが禁止されている設定内容に対応する選択肢画像を、確定処理によって確定された設定内容と組み合わせて設定することが禁止されていない設定内容に対応する選択肢画像と区別可能な表示形態で液晶ディスプレイＰに表示させる部分禁則処理を行う（Ｓ１１、Ｓ１２）。
【０１０１】
図１１は、部分禁則処理部１８によって部分禁則処理が行われる前の確定操作の一例を示す説明図である。尚、部分禁則処理部１８が部分禁則処理を行うに当って、互いに組み合わせて設定することが禁止されている設定内容の組み合わせを示す情報がＲＯＭ等に予め記憶されている。
【０１０２】
例えば、図１１（ａ）は、選択肢画像表示部１１によって、コピー機能を実行するに当って、ページ集約機能、両面／分割機能、用紙サイズ機能の３つの機能の設定内容をそれぞれ入力操作するための操作画面を示している。このように、３つの機能のそれぞれに対応する選択肢画像のグループＧ１，Ｇ２，Ｇ１０が液晶ディスプレイＰに表示されている場合に（Ｓ２）、図１１（ｂ）に示すように、用紙サイズ機能に対応する選択肢画像Ｇ１０２をタッチ操作したまま、確定領域ＣＡまでスワイプ操作が行われると、確定操作が受け付けられる（Ｓ５；ＹＥＳ）。そして、確定処理が行われ（Ｓ６）、選択肢画像Ｇ１０２に対応する選択肢「カスタム」が用紙サイズ機能の設定内容として確定される。これによって、選択肢「カスタム」を示す情報が用紙サイズ機能を示す情報と対応付けてＲＡＭ等に記憶される。
【０１０３】
尚、用紙サイズ機能の設定内容が「カスタム」に確定されている場合、制御部１０は、コピー機能を実行する際に、ユーザーによって入力されることによってＲＡＭ等に予め記憶されたサイズの用紙を手差しトレイ４６２から給紙させ、スキャナー部５１で読み取られた画像データを当該用紙に印刷することになる。また、用紙サイズ機能の設定内容「カスタム」と組み合わせて、ページ集約機能の設定内容に「ＯＦＦ」を除く残余の選択肢を設定することが予め禁止されている。この設定内容の組み合わせを示す情報は、ＲＯＭ等に予め記憶されている。
【０１０４】
図１２は、部分禁則処理が行われる前後の操作画面の一例を示す説明図である。図１１（ｂ）に示した確定操作が受け付けられることによって確定処理が行われた後、選択肢画像表示部１１は、確定後処理を実行することによって、例えば図１２（ａ）に示すように、コピー機能に関する詳細な機能のうち、用紙サイズ機能を除く残余の、ページ集約機能、両面／分割機能、縮小／拡大機能の３つの機能のそれぞれに対応する選択肢画像のグループＧ１，Ｇ２，Ｇ３を、水平方向Ｄ２に並べて表示させる。
【０１０５】
この場合、部分禁則処理部１８は、ＲＯＭ等に予め記憶されている上記の設定内容の組み合わせを示す情報を用いて、液晶ディスプレイＰに表示されている選択肢画像の中に、用紙サイズ機能の設定内容「カスタム」と組み合わせて設定することが禁止されている、ページ集約機能の設定内容となり得る選択肢「２ｉｎ１」及び「４ｉｎ１」に対応する選択肢画像Ｇ１１及びＧ１３が存在すると判断する（Ｓ１１；ＹＥＳ）。
【０１０６】
そして、部分禁則処理部１８は、例えば、図１２（ｂ）に示すように、選択肢画像表示部１１によって、当該２つの設定内容に対応する選択肢画像Ｇ１１，Ｇ１３の背景色を選択肢画像Ｇ１２の背景色とは異なる色にして表示させる（Ｓ１２）。選択肢画像Ｇ１２は、用紙サイズ機能の設定内容「カスタム」と組み合わせて設定することが禁止されていない設定内容「ＯＦＦ」に対応する選択肢画像である。尚、部分禁則処理部１８は、当該背景色を変更して表示させることに合わせて、当該２つの設定内容に対応する選択肢画像「２ｉｎ１」、「４ｉｎ１」を選択する選択操作を受け付けることを選択操作受付部１２に禁止させてもよい。
【０１０７】
そして、ユーザーによってスタートキー７５（図２）が押下されていない間は（Ｓ１３；ＮＯ）、ステップＳ３に戻ることが繰り返され、ユーザーによってスタートキー７５（図２）が押下されると（Ｓ１３；ＹＥＳ）、制御部１０は、ステップＳ６でＲＡＭ等に記憶された設定内容を用いて各種機能を実行する（Ｓ１４）。
【０１０８】
続いて、アンドゥ処理及びリドゥ処理について詳述する。例えば、図７（ｂ）に示すように、ページ集約機能の設定内容を「２ｉｎ１」に確定するための確定操作が受け付けられることによって（Ｓ５；ＹＥＳ）、確定処理（Ｓ６）及び確定後処理（Ｓ７）が行われる。当該確定後処理によって、例えば図７（ｂ）に示すように、ページ集約機能に対応する一組の選択肢画像が非表示にされた後、例えば図８に示すように、画面／分割機能、縮小／拡大機能、及び濃度機能のそれぞれに対応する３つの選択肢画像のグループＧ２，Ｇ３，Ｇ４が表示される。
【０１０９】
この場合に、ユーザーによってアンドゥキーＳＫ２が押下されると、アンドゥ操作受付部１９はアンドゥ操作を受け付ける。アンドゥ処理部２０は、アンドゥ操作受付部１９によってアンドゥ操作が受け付けられると、当該受け付けの直前に行われた確定処理後に、確定後処理によって表示された濃度機能に対応する一組の選択肢画像を非表示にし、当該確定後処理によって非表示にされたページ集約機能に対応する選択肢画像のグループＧ１を液晶ディスプレイＰに再表示させるアンドゥ処理を行う。
【０１１０】
当該アンドゥ処理が行われることによって、液晶ディスプレイＰに表示されている操作画面は、例えば、図７（ａ）に示すように、ページ集約機能、画面／分割機能及び縮小／拡大機能の３つの機能に対応する選択肢画像のグループＧ１，Ｇ２，Ｇ３が表示された、確定処理の実行前の状態に戻る。
【０１１１】
また、アンドゥ操作受付部１９によってアンドゥ操作が受け付けられた後、ユーザーによって、リドゥキーＳＫ１が押下されると、リドゥ操作受付部２１は、リドゥ操作を受け付ける。リドゥ処理部２２は、リドゥ操作受付部２１によってリドゥ操作が受け付けられると、当該リドゥ操作の受け付けの直前のアンドゥ処理によって再表示されたページ集約機能の一組の選択肢画像を非表示にして、当該アンドゥ処理によって非表示にされた濃度機能に対応する選択肢画像のグループＧ４を液晶ディスプレイＰに再表示させるリドゥ処理を行う。
【０１１２】
当該リドゥ処理が行われることによって、液晶ディスプレイＰに表示されている操作画面は、例えば、図８に示すように、画面／分割機能、縮小／拡大機能、濃度機能の３つの機能に対応する選択肢画像のグループＧ２，Ｇ３，Ｇ４が表示された、アンドゥ処理の実行前の状態に戻る。
【０１１３】
このように、上記実施形態の構成によれば、確定操作受付部４によって確定操作が受け付けられた場合に（Ｓ５；ＹＥＳ）、確定操作によって確定領域ＣＡまで移動された選択肢画像に対応する選択肢を、機能の設定内容として確定する確定処理が行われ（Ｓ６）、機能の設定内容が確定される。このため、ユーザーは、垂直方向Ｄ１に並ぶ複数の選択肢画像の中から所望の設定内容に対応する選択肢画像を選択する選択操作を行い、選択した選択肢画像を確定領域ＣＡまで移動させる確定操作を行うことによって、機能の設定内容を所望のものに確定することができる。
【０１１４】
また、操作方向が画面の垂直方向Ｄ１及び水平方向Ｄ２の２方向に限られているので、例えば、高齢者、視覚障害者、及び画像形成装置の利用頻度が少ないユーザー等の入力操作に不慣れなユーザーであっても、画面の多方向に手を動かす煩雑な操作を行う必要がなく、操作が容易であり、且つ、覚え易く、入力操作の手間が軽減される。
【０１１５】
また、上記実施形態の構成によれば、ユーザーは、垂直方向Ｄ１に並ぶ複数の選択肢画像の中から所望の設定内容に対応する選択肢画像を選択する選択操作を行い、選択した選択肢画像を水平方向Ｄ２に移動させる確定操作を行うことを繰り返すことによって、液晶ディスプレイＰに対応する一組の選択肢画像が表示された予め定められた機能数（例えば、３）の機能の設定内容をそれぞれ確定させることができる。
【０１１６】
つまり、ユーザーにとっては、一定方向に手を動かして行う２つの統一された操作感の操作を繰り返して行うことによって、予め定められた機能数の機能の設定内容を確定することができるので、機能毎に設定内容の入力操作方法が異なる場合に比して、機能の設定内容を入力操作するときの煩わしさが軽減されて好適である。
【０１１７】
また、上記実施形態の構成によれば、確定後処理（Ｓ７）によって、設定内容が確定された機能に対応する一組の選択肢画像が非表示にされ、設定内容が確定された機能を除く残余の機能にそれぞれ対応する組毎の選択肢画像が表示される。したがって、ユーザーは、同じ一つの画面において、垂直方向Ｄ１に並ぶ複数の選択肢画像の中から所望の設定内容に対応する選択肢画像を選択する選択操作を行い、選択した選択肢画像を水平方向Ｄ２に移動させる確定操作を繰り返し行うだけで、複数の機能の設定内容をそれぞれ確定することができる。
【０１１８】
つまり、ユーザーにとっては、機能毎に異なる複数の画面を用いて複数の機能の設定内容を入力操作する場合に比して、複数の機能の設定内容を入力操作するときの煩わしさが軽減されて好適である。
【０１１９】
また、上記実施形態の構成によれば、ユーザーは、誤って確定操作を行った場合であっても、アンドゥ操作を行うことによって、直前に行われた確定操作が行われる前の状態に戻すことができる。また、ユーザーは、誤ってアンドゥ操作を行った場合であっても、リドゥ操作を行うことによって、その誤って行ったアンドゥ操作によって戻された確定操作を実行した状態に戻すことができる。このため、ユーザーにとって簡単な操作である、画面に表示されたリドゥキーＳＫ１又はアンドゥキーＳＫ２の押下操作を行うことによって、煩わしい操作を行うことなく、誤った確定操作又はアンドゥ操作が行われる前の状態に簡単に戻すことができる。
【０１２０】
また、上記実施形態の構成によれば、全禁則処理を行うことによって（Ｓ９、Ｓ１０）、既に確定された機能と組み合わせて実行することが禁止されている機能に対する設定内容の入力操作が行われることを防止することができる。
【０１２１】
また、上記実施形態の構成によれば、部分禁則処理を行うことによって（Ｓ１１、Ｓ１２）、ユーザーが既に確定された設定内容と組み合わせて設定することが禁止されている設定内容を入力しようとした場合であっても、そのことに気づきやすくなる。これによって、既に確定された設定内容と組み合わせて設定することが禁止されている設定内容の入力操作が行われる虞を軽減することができる。
【０１２２】
また、上記実施形態の構成によれば、選択操作受付部１２によって選択操作が受け付けられる度に（Ｓ３；ＹＥＳ）、選択報知部１３によって異なる選択肢が選択されたことを示す所定の音声がスピーカー７８に出力される（Ｓ４）。このため、ユーザーは、異なる選択肢を選択したことを音声によって認識することができるので、不用意に選択操作を行った場合であっても、そのことに気づきやすくなる。
【０１２３】
また、上記実施形態の構成によれば、確定処理が行われる度に（Ｓ６）、確定報知部１６によって機能の設定内容が確定されたことを示す所定の音声が出力される（Ｓ７）。このため、ユーザーは、確定処理が行われたことを音声によって認識することができるので、不用意に確定操作を行って確定処理が行われた場合であっても、そのことに気づきやすくなる。
【０１２４】
また、上記実施形態の構成によれば、ユーザーは、選択する対象の選択肢画像をタッチ操作したまま、選択領域ＳＡまで、垂直方向Ｄ１に移動させるスワイプ操作を行うことによって選択操作を行うことができる。このため、ユーザーにとっては、一定方向に選択物を移動させるという、確定操作と同じ統一された操作感で選択操作を行うことができるので、機能毎に設定内容の入力操作方法が異なる場合に比して、入力操作方法を覚える手間が軽減されて好適である。
【０１２５】
また、上記実施形態の構成によれば、一組の複数の選択肢画像のうち、予め定められた数の選択肢画像が垂直方向Ｄ１に沿うように並べて表示されるので、液晶ディスプレイＰの垂直方向Ｄ１において予め定められた数の選択肢画像がそれぞれ表示される位置が略一定になる。つまり、ユーザーにとっては、選択肢画像が表示される位置が略一定のため、所望の選択対象の選択肢画像を探す手間が軽減されて好適である。
【０１２６】
尚、本発明は上記実施の形態の構成に限られず種々の変形が可能である。上記実施形態において図１乃至図１２に示した構成は単なる一例に過ぎず、本発明を当該実施形態に限定する趣旨ではない。
【０１２７】
例えば、上記実施形態では、液晶ディスプレイＰの垂直方向Ｄ１を本発明に係る第一方向とし、液晶ディスプレイＰの水平方向Ｄ２を本発明に係る第二方向であるものとして説明したが、これに限定する趣旨ではない。例えば、垂直方向が水平方向よりも長い液晶ディスプレイを備えた画像形成装置に本発明を適用する場合には、液晶ディスプレイの水平方向を第一方向とし、液晶ディスプレイの垂直方向を第二方向とするように構成してもよい。
【０１２８】
また、図４に例示した機能の設定内容を入力操作させるための操作画面のレイアウトを、図１３（ａ）に示すように変更し、本発明に係る第一方向を液晶ディスプレイＰの垂直方向Ｄ１とし、本発明に係る第二方向を液晶ディスプレイＰの対角線方向Ｄ１２としてもよい。又は、図４に例示した機能の設定内容を入力操作させるための操作画面を、図１３（ｂ）に示すように変更し、本発明に係る第二方向を液晶ディスプレイＰの一点Ｐ０を中心とする円弧方向Ｄ２２とし、本発明に係る第一方向を当該第二方向（円弧方向）に直交する方向Ｄ２１としてもよい。
【０１２９】
また、制御部１０が、アンドゥ操作受付部１９、アンドゥ処理部２０、リドゥ操作受付部２１及びリドゥ処理部２２として機能しないように構成してもよい。
【０１３０】
また、制御部１０が、部分禁則処理部１８として機能せず、部分禁則処理（Ｓ１１，Ｓ１２）を実行しないように構成してもよい。また、制御部１０が、全禁則処理部１７として機能せず、全禁則処理（Ｓ９，Ｓ１０）を実行しないように構成してもよい。
【０１３１】
また、制御部１０が、確定報知部１６として機能せず、ステップＳ７を実行しないように構成してもよい。また、制御部１０が、選択報知部１３として機能せず、ステップＳ４を実行しないように構成してもよい。
【０１３２】
また、選択肢画像表示部１１は、各機能に対応する一組の選択肢画像のうち、予め定められた画像数の選択肢画像を１つのグループとして、液晶ディスプレイＰに表示させていたが、これに代えて、例えば、各機能に対応する一組の複数の選択肢画像のうち、全ての選択肢画像を１つのグループとして表示させる等、１つのグループとして表示させる選択肢画像の数を機能毎に異ならせるように構成してもよい。
【０１３３】
また、選択する対象の選択肢画像をタッチ操作したまま、液晶ディスプレイＰ上において選択領域ＳＡまで移動させるスワイプ操作を選択操作としていたが、選択操作をこれに限定する趣旨ではない。例えば、選択する対象の選択肢画像をタッチ操作することを選択操作とし、これに合わせて、選択操作受付部１２によって選択操作が受け付けられた場合に、例えば、当該タッチ操作された選択肢画像の背景色を選択されていない選択肢画像の背景色と異ならせる等の方法で、選択肢画像表示部１１によって、選択された選択肢画像の表示形態を変更させるように構成してもよい。
【０１３４】
また、上記実施形態では、本発明に係る画像形成装置として、複合機１を例に説明したが、本発明に係る画像形成装置は、例えば、ファクシミリ装置、プリンター装置及びコピー装置に適用することも可能である。また、上記実施形態では、本発明に係る電子機器をタッチパネル装置７１及び制御部１０に適用する例について説明したが、本発明に係る電子機器は、例えば、スキャナー装置、ゲーム機、携帯電話、及びカーナビゲーション装置に適用することも可能である。
【符号の説明】
【０１３５】
１        複合機（画像形成装置）
１０      制御部
１１      選択肢画像表示部
１２      選択操作受付部
１３      選択報知部
１４      確定操作受付部
１５      機能設定確定部
１６      確定報知部
１７      全禁則処理部
１８      部分禁則処理部
１９      アンドゥ操作受付部
２０      アンドゥ処理部
２１      リドゥ操作受付部
２２      リドゥ処理部
４        画像形成部
５        原稿読取部
５１      スキャナー部
６        原稿給送部
７        操作部
７１      タッチパネル装置（表示操作部）
７５      スタートキー
７８      スピーカー
９１      ファクシミリ通信部
９３      ネットワークＩ／Ｆ部
ＣＡ      確定領域
Ｄ１      垂直方向（第一方向）
Ｄ２      水平方向（第二方向）
Ｐ        液晶ディスプレイ（画面）
ＳＡ      選択領域
ＳＫ１    リドゥキー
ＳＫ２    アンドゥキー
【図１】
0005941849.tif 000002
【図２】
0005941849.tif 000003
【図３】
0005941849.tif 000004
【図４】
0005941849.tif 000005
【図５】
0005941849.tif 000006
【図６】
0005941849.tif 000007
【図７】
0005941849.tif 000008
【図８】
0005941849.tif 000009
【図９】
0005941849.tif 000010
【図１０】
0005941849.tif 000011
【図１１】
0005941849.tif 000012
【図１２】
0005941849.tif 000013
【図１３】
0005941849.tif 000014